(57)【要約】【課題】横方向の力が加わった場合や、内容物によって大きな荷重が加わった場合でも、なお何段にも積重ねられた包装箱を安定に重合わされた状態で維持する。【解決手段】長辺側側板１３の上縁に一対の折曲げ線１７、１８を介して補助側板１９を連設し、しかも補助側板１９の中間位置から上記一対の折曲げ線１７、１８にかけて縦方向の互いに平行な一対ずつの切込み２０を形成し、補助側板１９を長辺側側板１３の内側に折曲げたときに、上記折曲げ線１７、１８間の折曲げ線２１、および切込み２０の終端を連結する折曲げ線２２によって長辺側側板１３および補助側板１９の上側に突出する断面がＶ字状の突部４０を形成し、この突部４０を包装箱を何段にも積重ねたときの上側の包装箱の底板１１の係合孔１４に係合させる。【選択図】図８
0003123142.tif 000002
【実用新案登録請求の範囲】
【請求項１】
上部が開口になっているほぼ直方体状の包装箱において、
互いに対向する一対の側板の上端に所定の間隔を隔てて形成された互いに平行な２本の折曲げ線を介して内側に補助側板を連設し、
しかも前記補助側板に互いに平行な一対の縦方向の切込みを中間位置から上縁の２本の折曲げ線と交差する位置まで形成し、前記２本の折曲げ線の中間位置で前記切込みを連結するように横方向の折曲げ線を形成し、該折曲げ線のところで前記一対の切込み間の部位を折曲げて前記２本の折曲げ線間の距離のほぼ半分の高さの突部を形成し、該突部を上段の箱の底部の係合孔と係合させることを特徴とする包装箱。
【請求項２】
前記突部がほぼ逆Ｖ字状の断面形状であることを特徴とする請求項１に記載の包装箱。
【請求項３】
前記係合孔が前記突部と対応して前記一対の側板と底板とのコーナの部分に形成されることを特徴とする請求項１に記載の包装箱。
【請求項４】
互いに対向する一対の側板にそれぞれ２つずつの突部が形成されることを特徴とする請求項１に記載の包装箱。
【請求項５】
長辺側側板の内側に互いにほぼ平行な２本の折曲げ線を介して補助側板が連設されるとともに、前記２本の折曲げ線を横切るようにそれぞれの長辺側側板に２つずつの突部が形成されることを特徴とする請求項１に記載の包装箱。
【考案の詳細な説明】
【技術分野】
【０００１】
本考案は包装箱に係り、とくに上部が開口になっているほぼ直方体状の包装箱に関する。
【背景技術】
【０００２】
各種の物品を収納して物流に供するために、段ボールや板紙から成る包装箱が広く用いられている。例えば野菜や果実等を供給する場合に、野菜あるいは果実を入れる所定の大きさの寸法の上部が開口になっている包装箱が用いられる。
【０００３】
このような包装箱を何段にも重ねる際に、上下の包装箱の横方向のずれを防止するために、側板の上縁に突片を形成することが、特開２００２−１２２１４号公報、特開２００２−５３１２７号公報、特開２００４−３４５６６８号公報等によって開示されている。しかるに従来のこの種の横ずれの防止のための機構は、単に側板の上縁に突片を連設したにすぎず、横方向から大きな力が加わった場合や、何段にも包装箱を積重ねた場合であって、上から大きな荷重を受けるような場合には、この荷重に上記の突片が耐えられず、これによって突片が折曲がったり潰れたりして位置決めの機能を喪失する。
【特許文献１】特開２００２−１２２１４号公報
【特許文献２】特開２００２−５３１２７号公報
【特許文献３】特開２００４−３４５６６８号公報
【考案の開示】
【考案が解決しようとする課題】
【０００４】
本願考案の課題は、何段にも積重ねたときに、横方向に互いにずれないようにした包装箱を提供することである。
【０００５】
本願考案の別の課題は、横方向に大きな力が加わっても、横ずれを起こさないような位置決め手段を有する包装箱を提供することである。
【０００６】
本願考案のさらに別の課題は、何段にも積重ねたときに、大きな荷重が加わっても、位置決め手段が変形等によってその機能を喪失しないようにした包装箱を提供することである。
【０００７】
本願考案の上記の課題および別の課題は、以下に述べる本願考案の技術的思想、およびその実施の形態によって明らかにされる。
【課題を解決するための手段】
【０００８】
本願の主要な考案は、上部が開口になっているほぼ直方体状の包装箱において、
互いに対向する一対の側板の上端に所定の間隔を隔てて形成された互いに平行な２本の折曲げ線を介して内側に補助側板を連設し、
しかも前記補助側板に互いに平行な一対の縦方向の切込みを中間位置から上縁の２本の折曲げ線と交差する位置まで形成し、前記２本の折曲げ線の中間位置で前記切込みを連結するように横方向の折曲げ線を形成し、該折曲げ線のところで前記一対の切込み間の部位を折曲げて前記２本の折曲げ線間の距離のほぼ半分の高さの突部を形成し、該突部を上段の箱の底部の係合孔と係合させることを特徴とする包装箱に関するものである。
【０００９】
ここで、前記突部がほぼ逆Ｖ字状の断面形状であってよい。また前記係合孔が前記突部と対応して前記一対の側板と底板とのコーナの部分に形成されてよい。また互いに対向する一対の側板にそれぞれ２つずつの突部が形成されてよい。また長辺側側板の内側に互いにほぼ平行な２本の折曲げ線を介して補助側板が連設されるとともに、前記２本の折曲げ線を横切るようにそれぞれの長辺側側板に２つずつの突部が形成されてよい。
【考案の効果】
【００１０】
本願の主要な考案は、上部が開口になっているほぼ直方体状の包装箱において、互いに対向する一対の側板の上端に所定の間隔を隔てて形成された互いに平行な２本の折曲げ線を介して内側に補助側板を連設し、しかも補助側板に互いに平行な一対の縦方向の切込みを中間位置から上縁の２本の折曲げ線と交差する位置まで形成し、２本の折曲げ線の中間位置で切込みを連結するように横方向の折曲げ線を形成し、該折曲げ線のところで一対の切込み間の部位を折曲げて２本の折曲げ線間の距離のほぼ半分の高さの突部を形成し、該突部を上段の箱の底部の係合孔と係合させるようにしたものである。
【００１１】
従ってこのような包装箱によると、側板の内側に補助側板を連設するための２本の折曲げ線の部位に突出する突部によって、上下に積重ねられた包装箱を互いに横方向に位置決めすることが可能になり、これによって何段にも積んだときに安定に包装箱を載置することが可能になる。しかも突部は側板と補助側板とによって２重になっているために、大きな荷重に耐えられるようになり、これによって横方向に大きな力が加わった場合や、何段にも積重ねて大きな荷重が加わっても、位置決めの機能を喪失することがない。
【考案を実施するための最良の形態】
【００１２】
以下本願考案を図示の実施の形態によって説明する。図１は本実施の形態の包装箱を組立てるために打抜かれた段ボール原紙１０を示している。この段ボール原紙１０はそのほぼ中央部に長方形の底板１１を備え、長方形の底板１１の互いに対向する長辺には折曲げ線１２を介して長辺側側板１３が連設される。長辺側側板１３と底板１１とのコーナの部分には各側板１３毎に一対の係合孔１４が形成される。
【００１３】
上記長辺側側板１３の上端側には、互いに所定の間隔を隔てて形成された平行な２本の折曲げ線１７、１８を介して補助側板１９が連設される。補助側板１９には、その高さ方向に互いに平行な一対ずつの切込み２０がその高さ方向の中間位置から上部にかけて形成される。そして切込み１０の上端側であって一対の折曲げ線１７、１８の中間位置には折曲げ線２１が形成される。また切込み２０の下端を連結するように折曲げ線２２が形成される。また側板１３の両端の近傍において、一対の折曲げ線１７、１８間には矩形の係止孔２３が形成されるとともに、長辺側側板１３と補助側板１９にはそれぞれ一対ずつの円形孔２４、２５が形成されている。
【００１４】
これに対して底板１１の短辺側には折曲げ線２７を介して短辺側側板２８が形成される。短辺側側板２８の上端には折曲げ線２９を介して支持板３０が建設される。そして支持板３０の両端には折曲げ線３１を介して扇形の爪３２が形成される。爪３２は上述の係止孔２３に挿入される。
【００１５】
また上記短辺側側板２８の内側に組込まれるように、長辺側側板１３の両側にはそれぞれ折曲げ線３５を介してフラップ３６が形成される。また長辺側側板１３の内側の補助側板１９の両側には折曲げ線３７を介して補助フラップ３８が連設される。
【００１６】
次に以上のような構成に係る段ボール原紙１０を用いて包装箱を組立てる動作を説明する。図２に示すように、まず長辺側側板１３を折曲げ線１２によって底板１１に対して直角に折曲げる。そして長辺側側板１３の上縁の一対の折曲げ線１７、１８をそれぞれ直角に折曲げることにより、補助側板１９を長辺側側板１３の内側に押込む。このときに長辺側側板１３の円形孔２４と補助側板１９の円形孔２５とが互いにほぼ整合する。
【００１７】
上述のように長辺側側板１３の内側に補助側板１９を折込むと、補助側板１９に形成されている一対の切込み２０の部分が、折曲げ線２１によって逆Ｖ字状に折曲げられる。なおこのときに切込み２０の下端の部分が折曲げ線２１によって折曲げられる（図７、図８参照）。
【００１８】
この後に図３に示すように、補助側板１９の両側の補助フラップ３８を折曲げ線３７のところで直角に折曲げる。さらに長辺側側板１３の両端のフラップ３６を折曲げ線３５によって直角に折曲げ、補助フラップ３８と重合わせる。
【００１９】
この後に図４に示すように、底板１１に対して折曲げ線２７のところで短辺側側板２８を直角に折曲げる。さらにこの短辺側側板２８の上端の折曲げ線２９を直角に折曲げ、これによって支持板３０が図５に示すように、この包装箱の上縁にほぼ平行になるように折曲げる。そして支持板３０の両端の扇形の爪３２を折曲げ線３１のところで折曲げることにより、長辺側側板１３の係止孔２３に挿入して係止させる。これによって上面の長さ方向の両端がそれぞれ支持板３０によって覆われることになり、このために支持板３０によってその上に積重ねられる包装箱の底面を支持することが可能になる。
【００２０】
このような包装箱は、とくに図６に示すように、長辺側側板１３と補助側板１９の上部に突出するように形成される突部４０が底板１１の係止孔１４に係止されるようになる。すなわち何段にもこの包装箱を積重ねたときに、下段に位置する包装箱の上部に突出する突部４０が上段の包装箱の底板１１の係合孔１４に係合されるようになり、これによって何段にも積重ねられた包装箱を安定に支持する。
【００２１】
図７および図８に示すように、長辺側側板１３と補助側板１９との間に形成される突部４０は、断面がほぼ逆Ｖ字状に折曲げ線２１のところで折曲げられており、折曲げ線１７、１８の距離の約半分の高さだけ突出する突部４０を形成している。従ってこのような断面が逆Ｖ字状であってしかも２重に折曲げられた突部４０によって、横方向の大きな力を受けることが可能になり、このために横方向に大きな力が加わっても、積重ねられた包装箱が崩れることがない。またこの包装箱内に果実や野菜等を入れて何段にも積重ねたときに、大きな荷重が加わっても、突部４０が変形してその位置決め機能を喪失することがない。
【００２２】
なお図１に示すように、支持板３０の両側の扇形の爪３２を受入れる係止孔２３は、補助側板１９の部分において下方に切込まれており、この扇形の爪３２の厚さ方向の分だけ切込まれている。従って図５に示すように支持板３０が箱の上面であって長辺側側板１３と補助側板１９の上面にほぼ一致する高さになり、支持板３０が上方に突出することがない。このために支持板３０の厚みが突部４０による位置決めを損なうことがなく、突部４０と係合孔１４との安定な係合を確保できるようになる。
【００２３】
このような包装箱は、いちじく等の果実、あるいはトマト、ピーマン等の野菜を入れて物流に供するのに好適な包装箱である。なお必ずしも果実や野菜に限らず、その他別の物品を収納することを妨げない。
【００２４】
以上本願考案を図示の実施の形態によって説明したが、本願考案は上記実施の形態によって限定されることなく、本願考案の技術的思想の範囲内において各種の変更が可能である。例えば突部４０を形成するための切込み２０間の折曲げ線２１をずらすことにより、この突部４０の突出方向を微妙に内側あるいは外側に調整することができ、図示の位置に必ずしも折曲げ線２１を形成する必要がない。
【産業上の利用可能性】
【００２５】
本願考案は、果実や野菜を収納して出荷するための包装箱に利用することが可能である。
【図面の簡単な説明】
【００２６】
【図１】包装箱を組立てる段ボール原紙の展開平面図である。
【図２】同段ボール原紙の組立ての動作を示す斜視図である。
【図３】同段ボール原紙の組立ての動作を示す斜視図である。
【図４】同段ボール原紙の組立ての動作を示す斜視図である。
【図５】組立てられた包装箱の外観斜視図である。
【図６】この包装箱を何段にも積重ねたときの縦断面図である。
【図７】長辺側側板と補助側板との部分に形成される突部の要部斜視図である。
【図８】同突部の拡大縦断面図である。
【符号の説明】
【００２７】
１０  段ボール原紙
１１  底板
１２  折曲げ線
１３  長辺側側板
１４  係合孔
１７、１８  折曲げ線
１９  補助側板
２０  切込み
２１、２２  折曲げ線
２３  係止孔
２４、２５  円形孔
２７  折曲げ線
２８  短辺側側板
２９  折曲げ線
３０  支持板
３１  折曲げ線
３２  扇形の爪
３５  折曲げ線
３６  フラップ
３７  折曲げ線
３８  補助フラップ
４０  突部
【図１】
0003123142.tif 000003
【図２】
0003123142.tif 000004
【図３】
0003123142.tif 000005
【図４】
0003123142.tif 000006
【図５】
0003123142.tif 000007
【図６】
0003123142.tif 000008
【図７】
0003123142.tif 000009
【図８】
0003123142.tif 000010